(57)【要約】【課題】ローリー車からタンクへの荷卸作業時に注液口金具とローリー車側金具とを連結した際に、該当タンクの情報を総合的に認識可能とするためのタンク情報認識用スイッチと、それを用いたタンク情報認識システムを提供すること。【解決手段】タンク情報認識用スイッチＳは、タンクの注液口金具９とローリー車側金具１１との連結によって作動し、該当タンクの情報を認識するための出力信号を発信する。タンク情報認識システムは、タンク情報認識用スイッチＳからの出力信号に基づき該当タンクの情報を認識するタンク情報認識装置１３を備えている。【選択図】    図２
2005001697.tif 000002
【特許請求の範囲】
【請求項１】
タンクの注液口金具とローリー車側金具との連結によって作動し、該当タンクの情報を認識するための出力信号を発信するタンク情報認識用スイッチ。
【請求項２】
出力信号に該当タンクを特定するタンク特定信号が含まれている請求項１に記載のタンク情報認識用スイッチ。
【請求項３】
出力信号が無線で発信される請求項１又は２に記載のタンク情報認識用スイッチ。
【請求項４】
請求項１〜３の何れかに記載のタンク情報認識用スイッチと、このタンク情報認識用スイッチからの出力信号に基づき該当タンクの情報を認識するタンク情報認識装置とを備えたタンク情報認識システム。
【請求項５】
タンク情報認識装置は、タンク情報認識用スイッチからの出力信号に基づき該当タンクを認識する信号処理部と、タンク毎の情報を記憶した記憶メモリとを備え、さらに、信号処理部は、前記出力信号に基づき認識した該当タンクの情報を前記記憶メモリから読み出してタンク情報を認識するものである請求項４に記載のタンク情報認識システム。
【請求項６】
タンク情報認識装置によって認識したタンク情報を無線で送信するタンク情報送信部をさらに備えた請求項４又は５に記載のタンク情報認識システム。
【発明の詳細な説明】
【０００１】
【発明の属する技術分野】
本発明は、ローリー車からタンクに液体を荷卸する際に、該当タンクの情報を認識するために用いるタンク情報認識用スイッチと、それを用いたタンク情報認識システムに関する。なお、本願明細書において、「タンク情報」とは、タンクの液種、タンクＮｏ．、残量、タンク容量等のタンク情報、及び、荷卸開始・終了時刻等のタンクに関する情報を総称するものである。
【０００２】
【従来の技術】
ローリー車からタンクに液体を荷卸する作業においては、注液口金具とローリー車側金具とを連結する際、タンク内での混液等を防止するために、注液口金具に対応するタンクの液種、タンクＮｏ．、残量、タンク容量等のタンク情報の確認が必要である。また、荷卸作業の効率的な管理のためには、荷卸開始・終了時刻の把握などが必要である。
【０００３】
かかるタンク情報のうちタンクの液種を確認するものとして、本願出願人は、特許文献１において荷卸作業時の音声による液種確認装置を開示した。この液種確認装置は、注液口金具とローリー車側金具とを連結させた時に作動するスイッチと、このスイッチからの出力信号により注液口金具に対応する液種の音声を発生させる装置を備えており、これによって、荷卸作業時にタンクの液種を音声によって自動的に確認できるようにしたものである。
【０００４】
しかし、ローリー車からタンクへの荷卸作業において、その作業を効率的に行い、かつ、混液、オーバーフロー等の荷卸ミスを防止するためには、タンクの液種のみならず、タンクＮｏ．、残量、タンク容量、荷卸開始・終了時刻等のその他のタンク情報を総合的に把握し管理する必要がある。
【０００５】
これに対して、先の特許文献１の液種確認装置では、タンク情報のうちタンクの液種が確認できるのみに留まっており、その他のタンク情報は、別途確認する必要があった。
【０００６】
また、同確認装置では、スイッチから音声発生装置までは有線となっており、工事に大巾な費用が発生し、客先に多大な負担を強いてしまっている。さらに、スイッチと音声発生装置は別々の箇体となっており、高価な製品となってしまっている。
【０００７】
【特許文献１】
特許第３０６８５８６号公報
【０００８】
【発明が解決しようとする課題】
本発明が解決しようとする課題は、ローリー車からタンクへの荷卸作業時に注液口金具とローリー車側金具とを連結した際に、該当タンクの情報を総合的に認識可能とするためのタンク情報認識用スイッチと、それを用いたタンク情報認識システムを提供することにある。
【０００９】
【課題を解決するための手段】
上記課題を解決するため、本発明のタンク情報認識用スイッチは、タンクの注液口金具とローリー車側金具との連結によって作動し、該当タンクのタンク情報を認識するための出力信号を発信するようにしたものである。その出力信号には該当タンクを特定するタンク特定信号を含ませることができ、また、出力信号が無線で発信されるようにすることができる。
【００１０】
このタンク情報認識用スイッチを用いた本発明のタンク情報認識システムは、タンク情報認識用スイッチからの出力信号に基づき該当タンクの情報を認識するタンク情報認識装置を備えたものである。このタンク情報認識装置は、タンク情報伝達用スイッチからの出力信号に基づき該当タンクを認識する信号処理部と、タンク毎の情報を記憶した記憶メモリとを備え、さらに、信号処理部は、前記出力信号に基づき認識した該当タンクの情報を前記記憶メモリから読み出してタンク情報を認識するように構成することができる。また、タンク情報認識装置によって認識したタンク情報は、タンク情報送信部によって無線で送信することことができる。無論、タンク情報は有線で送信することもできる。
【００１１】
【発明の実施の形態】
以下、図面に示す実施例に基づき本発明の実施の形態を説明する。
【００１２】
図１は、本発明のタンク情報認識用スイッチ（以下、実施例では単に「スイッチ」という。）を示す。同図に示す各スイッチは、タンクの注液口金具９と、ローリーホース１０の先端のローリー車側金具１１との連結によって作動し、これに伴い、注液口金具９に対応する該当タンクの情報を認識するためのトリガー信号となる出力信号を発信するものである。
【００１３】
図１（ａ）に示すスイッチは、リミットスイッチ１を使用したもので、注液口金具９とローリー車側金具１１との連結によって、注液口金具９に設けたリミットスイッチ１がローリー車側金具１１に設けたスイッチ押さえ２によって押圧されて作動し、出力信号を発信するようになっている。
【００１４】
図１（ｂ）に示すスイッチは、近接スイッチ３を使用したもので、注液口金具９とローリー車側金具１１との連結によって、注液口金具９に設けた近接スイッチ３に組み込んだリードスイッチがローリー車側金具１１に設けたマグネットを組み込んだ近接板４と近接し、マグネットの磁力によって近接スイッチ３に組み込んだリードスイッチが作動し、出力信号を発信するようになっている。
【００１５】
図１（ｃ）に示すスイッチは、超音波受発信器５を使用したもので、注液口金具９とローリー車側金具１１との連結によって、注液口金具９に設けた超音波受発信器５がローリー車側金具１１に設けた超音波反射体６と近接し、超音波受発信器５から発信された超音波が超音波反射体６に反射して超音波受発信器５に受信されることで作動し、出力信号を発信するようになっている。
【００１６】
図１（ｄ）に示すスイッチは、光受発信器７を使用したもので、注液口金具９とローリー車側金具１１との連結によって、注液口金具９に設けた光受発信器７がローリー車側金具１１に設けた光反射体８と近接し、光受発信器７から発信された光が光反射体８に反射して光受発信器７に受信されることで作動し、出力信号を発信するようになっている。
【００１７】
スイッチについては、注液口金具とローリー車側金具とが連結されたことによって出力信号を発信するものであれば全て使用可能であり、実施例で説明したスイッチに限定されるものではない。
【００１８】
図２は、本発明のタンク情報認識システムの第１実施例を示す。同図において、注液口金具９には図１に例示したようなスイッチＳが設けられており、このスイッチＳは、注液口金具９とローリー車側金具１１との連結によって作動し、出力信号を発信する。その出力信号は信号ケーブル１２を介してタンク情報認識装置１３に送信される。
【００１９】
図３は、第１実施例のタンク情報認識装置の構成を示す。同図に示すように、タンク情報認識装置１３は、信号受信部１４と、信号処理部（ＣＰＵ）１５と、記憶メモリ１６と、タンク情報送信部１７とからなる。
【００２０】
信号受信部１４は、複数の注液口金具に設けた各スイッチＳ１，Ｓ２，Ｓ３，…からの出力信号をそれぞれ受信するポート１４ａ，１４ｂ，１４ｃ…を有し、各ポートで受信した出力信号を信号処理部１５へ送信する。
【００２１】
信号処理部１５は、まず、受信した出力信号が信号受信部１４のどのポートからのものかを識別し、出力信号が発信された注液口金具及び該当タンクを特定する。次に、タンク毎にそのタンク情報（液種、タンクＮｏ．，タンク容量等）を記憶した記憶メモリ１６から該当タンクの情報を読み出してタンク情報送信部１７に送信する。
【００２２】
タンク情報送信部１７は、信号ケーブル１８を接続可能なインターフェースとコネクタからなり、このタンク情報送信部１７に接続した信号ケーブル１８を介して、タンク情報を管理センター等へ送信する。
【００２３】
図４は本発明のタンク情報認識システムの第２実施例を示し、図５は第２実施例のタンク情報認識装置の構成を示す。先の第１実施例と同一の構成には同一の符号を付しその説明を省略する。
【００２４】
第２実施例は、タンク情報認識装置１３へのスイッチＳの出力信号の送信とタンク情報認識装置１３からのタンク情報の送信を無線で行うようにしたものである。
【００２５】
図４及び図５において、複数の注液口金具に設けた各スイッチＳからの出力信号が出力信号無線送信機１９の送信アンテナ１９ａから発信され、信号受信部１４の受信アンテナ１４ｄによって受信される。ここで、複数の注液口金具に設けた各スイッチＳからの出力信号には、発信元の注液口金具（該当タンク）が特定できるように、タンク特定信号が付加されている。このタンク特定信号は、信号設定部２０により、スイッチやＲＯＭ等によるデータで任意に設定できる。
【００２６】
信号処理部１５は、タンク特定信号により該当タンクを特定する。そして、第１実施例と同様に記憶メモリ１６から該当タンクの情報を読み出して、そのタンク情報を信号変換部２１に送信する。
【００２７】
信号変換部２１は、タンク情報に機器特定信号、データ誤りチェックデータ等を付加し、シリアルデータ化してタンク情報送信部１７に送信する。
【００２８】
タンク情報送信部１７は無線送信機からなり、その送信アンテナ１７ａからタンク情報を管理センター等へ送信する。
【００２９】
なお、各スイッチＳ及び出力信号無線送信機１９の駆動電力は、内蔵バッテリー２２によって供給するようにしている。
【００３０】
図６は本発明のタンク情報認識システムの第３実施例を示し、図７は第３実施例のタンク情報認識装置の構成を示す。第１実施例及び第２実施例と同一の構成には同一の符号を付しその説明を省略する。
【００３１】
第３実施例は、スイッチとタンク情報認識装置を一つのパッケージとし、これを注液口金具に設けたものである。
【００３２】
図６及び図７において、スイッチＳからの出力信号は直接信号処理部１５に送信される。信号処理部１５は、スイッチＳからの出力信号を受信すると、記憶メモリ１６から該当タンクの情報を読み出して信号変換部２１に送信する。ここで、スイッチＳと信号処理部１５と記憶メモリ１６はそれぞれ一対一で対応しているので、記憶メモリ１６には該当タンクのみの情報を記憶させておけばよい。
【００３３】
信号変換部２１以降のタンク情報の処理の流れは第２実施例と同じであり、最終的に、タンク情報送信部１７の送信アンテナ１７ａからタンク情報が管理センター２３等へ送信される。
【００３４】
なお、各スイッチＳ及び信号処理部１５等の駆動電力は内蔵バッテリー２２によって供給するようにしている。
【００３５】
【発明の効果】
本発明は、以下の効果を奏する。
【００３６】
１．注液口金具とローリー車側金具との連結によって作動するタンク情報認識用スイッチからの出力信号に基づき該当タンクのあらゆるタンク情報を把握できるので、荷卸作業を効率的かつ安全に行うことができる。
【００３７】
２．タンク情報送信部からの信号を無線信号としたので工事が大幅に簡素化され客先の費用負担が大幅に軽減される。
【００３８】
３．注液口金具にタンク情報認識用スイッチとタンク情報認識部及び送信部が一体に収納されているので別途に情報認識装置を設ける必要がなく、安価に提供することが可能となった。
【００３９】
４．注液口金具からの情報送信部分はバッテリーで作動するようになっているので、電源工事等が不要となり、工事費が大幅に軽減される。
【図面の簡単な説明】
【図１】本発明のタンク情報認識用スイッチを示す。
【図２】本発明のタンク情報認識システムの第１実施例を示す。
【図３】第１実施例のタンク情報認識装置の構成を示す。
【図４】本発明のタンク情報認識システムの第２実施例を示す。
【図５】第２実施例のタンク情報認識装置の構成を示す。
【図６】本発明のタンク情報認識システムの第３実施例を示す。
【図７】第３実施例のタンク情報認識装置の構成を示す。
【符号の説明】
１  リミットスイッチ
２  スイッチ押さえ
３  近接スイッチ
４  近接板
５  超音波受発信器
６  超音波反射体
７  光受発信器
８  光反射体
９  注液口金具
１０  ローリーホース
１１  ローリー車側金具
１２  信号ケーブル
１３  タンク情報認識装置
１４  信号受信部
１４ａ〜１４ｃ  ポート
１４ｄ  受信アンテナ
１５  信号処理部（ＣＰＵ）
１６  記憶メモリ
１７  タンク情報送信部
１７ａ  送信アンテナ
１８  信号ケーブル
１９  出力信号無線送信機
１９ａ  送信アンテナ
２０  信号設定部
２１  信号変換部
２２  内蔵バッテリー
２３  管理センター
Ｓ、Ｓ１、Ｓ２、Ｓ３  タンク情報認識用スイッチ
【図１】
2005001697.tif 000003
【図２】
2005001697.tif 000004
【図３】
2005001697.tif 000005
【図４】
2005001697.tif 000006
【図５】
2005001697.tif 000007
【図６】
2005001697.tif 000008
【図７】
2005001697.tif 000009